(57)【特許請求の範囲】
【請求項１】
インターフェース規格ＲＳ−４８５用ケーブルを介して、複数の負荷装置に対するデータの入／出力が行われる第１のポートと、
インターフェース規格ＲＳ−２３２Ｃ用ケーブルを介してモデムと接続される第２のポートと、
インターフェース規格ＲＳ−２３２Ｃ用ケーブルが接続される第３のポートと、
少なくとも前記負荷装置との通信データ及び前記モデムとの通信データを格納する共有メモリと、
前記負荷装置との通信及び前記モデムとの通信を制御する制御部と、
前記共有メモリから前記負荷装置運転データを読込み、前記第３のポートに接続された外部装置へ送信する送信制御手段と、
を備えたことを特徴とする多機能小型通信端末。
【請求項２】
前記複数の負荷装置はデイジーチェーン接続され、前記負荷装置の負荷に応じてその稼働台数を制御する台数制御手段を設けたことを特徴とする請求項１記載の多機能小型通信端末。
【請求項３】
前記各負荷装置から定周期で負荷装置運転データを取得して前記共有メモリへ格納する運転データ格納制御手段を設けたことを特徴とする請求項１または請求項２記載の多機能小型通信端末。
【請求項４】
前記共有メモリから前記負荷装置運転データを読込んで、前記第２のポートに接続されたモデムを介して電話回線へ送信する遠隔監視制御手段を設けたことを特徴とする請求項１乃至請求項３のいずれかに記載の多機能小型通信端末。
【請求項５】
前記送信制御手段は、前記運転データ格納制御手段によって前記各負荷装置から定周期で負荷装置運転データを取得中であるか否かに関わらず、前記共有メモリから前記負荷装置運転データを読込み、前記第３のポートに接続されたデータ収集用装置へ送信する構成にしたことを特徴とする請求項１記載の多機能小型通信端末。
【請求項６】
前記遠隔監視制御手段は、前記運転データ格納制御手段によって前記各負荷装置から定周期で負荷装置運転データを取得中であるか否かに関わらず、前記共有メモリから前記負荷装置運転データを読込んで、前記第２のポートに接続されたモデムを介して電話回線へ送信する構成にしたことを特徴とする請求項４記載の多機能小型通信端末。
【請求項７】
前記各負荷装置から取得するデータにアラーム情報が含まれていたときには、当該アラーム情報を前記共有メモリに書き込むアラーム保持制御手段を備えたことを特徴とする請求項１乃至請求項６のいずれかに記載の多機能小型通信端末。
【請求項８】
データのバックアップが可能な可搬型データロガーとして運用されることを特徴とする請求項１乃至請求項７のいずれかに記載の多機能小型通信端末。
【請求項９】
接続されている前記負荷装置に故障が発生すると自動的に遠隔監視用システムに通知することを特徴とする請求項１乃至請求項８のいずれかに記載の多機能小型通信端末。
【発明の詳細な説明】
【０００１】
【発明の属する技術分野】
本発明は、冷凍機等の台数制御、データロギング、遠隔監視、ビル管理システムなどに適用される多機能小型通信端末に関する。
【０００２】
【従来の技術】
従来、冷凍機の台数制御システムとしては、図５に示すように、台数制御用コントローラ１００が複数の冷凍機１０１、１０２、１０３、１０４にケーブルを介してそれぞれ直接接続される構成であり、台数制御用コントローラ１００は、冷温水ヘッダの入口温度と出口温度、さらに冷温水の流量等のデータを入力し、各冷凍機１０１〜１０４の運転／停止を制御するものが一般的に知られている。
さらに、冷凍機の運転状態に関するデータの収集等を行うデータロギングシステムについては、図６に示すように、１台の冷凍機１１０が、インターフェース規格ＲＳ−２３２Ｃのケーブル１１２を介してデータ収集用のノートパソコンに直接接続される構成が知られている。
【０００３】
また、冷凍機の遠隔監視システムに関しては、通信の相手先を切り替えることができる手段を有するものが知られている（例えば実開平５−７９２０２号公報等）。図７に示す例では、各冷凍機２０１、２０２、２０３、２０４は、それぞれＲＳ−２３２Ｃのケーブル２１１を介してチェンジオーバスイッチ２１２に直接接続されている。さらに、チェンジオーバスイッチ２１２には、ＲＳ−２３２Ｃのケーブル２１３を介してローカル通信端末２１４が接続され、ローカル通信端末２１４は、チェンジオーバスイッチ２１２によって各冷凍機２０１〜２０４の切り替え接続を行う。そして、ローカル通信端末２１４には、モデム２１５、電話回線２１６、及びモデム２１７を介して遠隔監視用システム２１８に接続されている。
一方、冷凍機がビル管理システムに接続される構成として、図８に示すように、冷凍機３０１とビル管理システム３０３との間に、デスクトップパソコン３０２をＲＳ−２３２Ｃのケーブルにより接続することが一般的に行われている。
【０００４】
【発明が解決しようとする課題】
しかしながら、上記従来の各システムには次のような問題点があった。
（１）図５に示した冷凍機の台数制御システムでは、台数制御用コントローラ１００は、ケーブルを介して各冷凍機にそれぞれ接続されるため、冷凍機の台数が増加すればその分、配線工数も多くなり、コスト高になる。さらに、台数制御用コントローラ１００は、単なるオン／オフ制御を行うだけであり、各冷凍機の運転状態を正確に把握する手段を備えていない。
（２）図６に示した冷凍機のデータロギングシステムでは、ノートパソコンは外部接続ポートとして通常、１ポート装備されているだけであり、１台の冷凍機としか持続することができない。そのため、冷凍機が複数台になるとその分だけデータ収集用ノートパソコン１１２の台数を増やす必要があり、コスト高になるという問題があった。
【０００５】
（３）図７に示した冷凍機の遠隔監視システムでは、通信の相手先を選択できるだけで、選択されなかった相手先である冷凍機のデータはその間途絶えることになる。このシステムは電話回線を複数用意する必要がない点が特長であるが、遠隔監視用システム２１８に対し、４台の冷凍機２０１〜２０４の運転状態を電話回線２１６で収集しようとした場合は、各冷凍機個別にその都度、電話回線を接続／切断して相手先を切り替える必要がある。
（４）多種多様なビル管理システムに対応するには、パソコン並みの処理能力を持ったＣＰＵを必要とするが、図８に示したようにビル管理システム接続用にディスクトップパソコン３０２を使用すると、コストが高くなる。また、デスクトップパソコンは通常ＲＳ−２３２Ｃ用ポートが２ポートしか装備されていないので、複数の冷凍機との接続が困難であった。
【０００６】
本発明は上記従来の問題点に鑑み、小型且つ低コストで、負荷装置の台数制御機能、ロギング制御機能、遠隔監視用制御機能、及びローカル監視用制御機能に優れた多機能小型通信端末を提供することを目的とする。
【０００７】
【課題を解決するための手段】
上記目的を達成するために、請求項１記載の発明に係る多機能小型通信端末では、インターフェース規格ＲＳ−４８５用ケーブルを介して、複数の負荷装置に対するデータの入／出力が行われる第１のポートと、インターフェース規格ＲＳ−２３２Ｃ用ケーブルを介してモデムと接続される第２のポートと、インターフェース規格ＲＳ−２３２Ｃ用ケーブルが接続される第３のポートと、少なくとも前記負荷装置との通信データ及び前記モデムとの通信データを格納する共有メモリと、前記負荷装置との通信及び前記モデムとの通信を制御する制御部と、前記共有メモリから前記負荷装置運転データを読込み、前記第３のポートに接続された外部装置へ送信する送信制御手段と、を備えたことを特徴とする。
【０００８】
請求項２記載の発明に係る多機能小型通信端末では、請求項１記載の多機能小型通信端末において、前記複数の負荷装置はデイジーチェーン接続され、前記負荷装置の負荷に応じてその稼働台数を制御する台数制御手段を設けたことを特徴とする。
【０００９】
請求項３記載の発明に係る多機能小型通信端末では、請求項１または請求項２記載の多機能小型通信端末において、前記各負荷装置から定周期で負荷装置運転データを取得して前記共有メモリへ格納する運転データ格納制御手段を設けたことを特徴とする。
【００１１】
請求項４記載の発明に係る多機能小型通信端末では、請求項１乃至請求項３のいずれかに記載の多機能小型通信端末において、前記共有メモリから前記負荷装置運転データを読込んで、前記第２のポートに接続されたモデムを介して電話回線へ送信する遠隔監視制御手段を設けたことを特徴とする。
【００１２】
請求項５記載の発明に係る多機能小型通信端末では、請求項１記載の多機能小型通信端末において、前記送信制御手段は、前記運転データ格納制御手段によって前記各負荷装置から定周期で負荷装置運転データを取得中であるか否かに関わらず、前記共有メモリから前記負荷装置運転データを読込み、前記第３のポートに接続されたデータ収集用装置へ送信する構成にしたことを特徴とする。
【００１３】
請求項６記載の発明に係る多機能小型通信端末では、請求項４記載の多機能小型通信端末において、前記遠隔監視制御手段は、前記運転データ格納制御手段によって前記各負荷装置から定周期で負荷装置運転データを取得中であるか否かに関わらず、前記共有メモリから前記負荷装置運転データを読込んで、前記第２のポートに接続されたモデムを介して電話回線へ送信する構成にしたことを特徴とする。
【００１４】
請求項７記載の発明に係る多機能小型通信端末では、請求項１乃至請求項６のいずれかに記載の多機能小型通信端末において、前記各負荷装置から取得するデータにアラーム情報が含まれていたときには、当該アラーム情報を前記共有メモリに書き込むアラーム保持制御手段を備えたことを特徴とする。
【００１５】
請求項８記載の発明に係る多機能小型通信端末では、請求項１乃至請求項７のいずれかに記載の多機能小型通信端末において、データのバックアップが可能な可搬型データロガーとして運用されることを特徴とする。
【００１６】
請求項９記載の発明に係る多機能小型通信端末では、請求項１乃至請求項８のいずれかに記載の多機能小型通信端末において、接続されている前記負荷装置に故障が発生すると自動的に遠隔監視用システムに通知することを特徴とする。
【００１７】
【発明の実施の形態】
以下、図面を参照して本発明の実施の形態を説明する。
図１は、本発明の実施の１形態に係る多機能小型通信端末の全体システム構成図である。
この多機能小型通信端末（以下ＳＣＴ装置と記す）１１は、端末本体に、ＲＳ−２３２Ｃ用ポートを３ポート（１１ａ、１１ｂ、１１ｃ）と、インターフェース規格ＲＳ−４８５用ポートを１ポート（１１ｄ）と、バックアップ機能付きで大容量（例えば１ＭＢ）のＳＲＡＭから成る共有メモリ１２と、タスクを実行して端末の動作全体制御するＣＰＵを含む制御部１０とを備え、例えば４台の冷凍機３１、３２、３３、３４と接続して、台数制御機能、運転データロギング機能、遠隔監視機能、及びローカル監視用機能を実現する。
【００１８】
具体的に説明すると、ＳＣＴ装置１１のＲＳ−４８５用ポート１１ｄが、ＲＳ−４８５ケーブル３０を介して１号冷凍機（親機）３１のマイコン基板に接続され、子機である２号、３号及び４号冷凍機３２、３３、３４は、それぞれ渡り配線３０ａ、３０ｂ、３０ｃを介してディジーチェーン接続されている。そして、冷温水ヘッダの入口温度と出口温度、さらに冷温水流量等のデータに基づいて、ＳＣＴ装置１１は、４台の冷凍機３１、３２、３３、３４に対して、負荷に応じて稼働台数を変化させる等の台数制御を行う。
また、運転データロギングは、ＲＳ−２３２Ｃ用ポート１１ｃにデータ収集用のノートパソコン４１を接続し、冷凍機の運転状態に関するデータ等の収集を行う。
【００１９】
さらに、遠隔監視機能の構成は、ＲＳ−２３２Ｃ用ポート１１ｂにモデム５２を接続し、電話回線５３、モデム５４を介して遠隔監視用システム（ＥＷＳ）５５に接続することにより実現可能である。例えば、冷凍機３１〜３４のいずれかに故障が発生したとき、ＳＣＴ装置１１よりその故障機の過去のデータ（共有メモリに保存）が自動的に遠隔監視用システム５５へ送られ、故障の診断、ひいては故障の予知が行われる。
一方、ビル管理システム用の機能は、ＲＳ−２３２Ｃ用ポート１１ａにビル管理システム（ＢＡＳ）またはローカル管理用パソコンから成るローカル管理システム６１を接続することにより実現可能である。例えば、各冷凍機３１、３２、３３、３４の発停や、設定値の変更、運転状態のモニタリングが行われる。
【００２０】
図２は、本実施形態のＳＣＴ装置１１のソフトウェア構成とデータフローを示すブロック図である。
ＳＣＴ装置１１には、ローカル監視システム６１を構成するビル管理システム、ローカル監視ＰＣ、シーケンサの内いずれか１つしか接続されない。ビル管理システムまたはローカル監視ＰＣが接続されていればメンテナンスタスク２１が起動し、シーケンサが接続されていればシーケンサ通信タスク２２が起動する。
なお、同図には、リアルタイムＯＳ、初期化タスク、共有メモリ１２の一部データ、タスク間同期に使用するセマフォの記載は省略する。
【００２１】
次に、図２中のタスク機能について説明する。
（１）共有メモリ１２
マイコン基板３１〜３４と通信するデータ、モデム５２と通信するデータを共有メモリ１２上に格納し、マイコン基板通信タスク１７、モデム通信タスク１  ９、データ処理タスク１３等からアクセスできるようにする。
（２）データ処理タスク１３
共有メモリ１２のデータ（短期保管バッファ１２ｂ：サンプリング周期１分）を読み出し、１時間の代表データ（平均処理、安定データ、他）を計算した結果を共有メモリ１２（長期保管バッファ１２ａ）に書込む。
（３）台数制御演算タスク１４
共有メモリ１２のデータ（マイコン基板通信データバッファ１２ｃ）を読み出し、冷凍機の要求負荷と起動台数を計算し、冷凍機の指令値を共有メモリ１２に書込む。
【００２２】
（４）ＲＳ−２３２Ｃ通信ドライバ１５
ＲＳ−２３２Ｃ通信ドライバ１５は、モデム、ローカル監視用ＰＣ、ビル管理システム、シーケンサ、メンテナンス用ＰＣ及びＲＳ−２３２Ｃを介してシリアル通信を実現するドライバソフトウェアである。この通信ポートは前述したように３つあり、１つはモデム専用、１つはメンテナンス用ＰＣ専用、残りの１つはローカル監視システム６１のローカル監視ＰＣ、ビル管理システム、シーケンサのいずれかに接続する。また、キャラクタ単位で送受信を制御し、ハードウェア割り込みを利用し、ＡＴコマンドを用いたモデムの制御も、このＲＳ−２３２Ｃ通信ドライバ１５に含める。また、タスクとのデータ送受信のインターフェースにはシステムコールを使用する。
（５）ＲＳ４８５通信ドライバ１６
ＲＳ４８５通信ドライバ１６は、ＲＳ４８５を介して最大４枚のマイコン基板とシリアル通信を実現するドライバソフトウェアである。キャラクタ単位で送受信を制御し、ハードウェア割り込みを使用し、タスクとのデータ送受信のインターフェースにはシステムコールを使用する。
【００２３】
（６）マイコン基板通信タスク１７
マイコン基板３１〜３４との通信プロトコルに従って、データ通信を行う。▲１▼定周期（１分）でマイコン基板から冷凍機運転データを取得し、共有メモリ１２のマイコン基板通信データバッファ１２ｃに格納する。また、遠隔監視でモデム通信する必要のあるデータを抽出し、共有メモリ１２の短期保管バッファ１２ｂに格納する。なお、マイコン基板から取得するデータには冷凍機アラームの情報が含まれており、冷凍機アラームが発生した場合は、アラーム通信要求メッセージキューにアラームの情報を書込む。▲２▼共有メモリ１２のデータ（マイコン基板通信データバッファ１２ｃ）を読み出し、定周期（１分）でマイコン基板３１〜３４に送信する。▲３▼データロギング仕様に従って、共有メモリ１２（ロギングバッファ１２ｄ）にロギング情報を書込む。
（７）アラーム通信要求メッセージキュー１８
冷凍機でアラームが発生した場合に、マイコン基板通信タスク１７からアラーム通信要求メッセージキュー１８に冷凍機アラーム情報が書込まれる。アラームが発生していない間は、アラーム通信要求メッセージキュー１８には何も書き込まれない。
【００２４】
（８）モデム通信タスク１９
モデム通信タスク１９は、遠隔監視の通信プロトコルに従って、モデムとデータ通信を行う。主な処理内容は次の通りである。(ア) モデムから要求があった場合に、共有メモリ１２のデータ（長期保管バッファ１２ａ、短期保管バッファ１２ｂ）を読み出し、データをモデム５２に送信する。(イ) アラーム通信要求メッセージキューを読み出し、要求があった場合に、共有メモリ１２のデータ（短期保管バッファ）を読み出して、データをモデムに送信する。
（９）メンテナンスタスク２０、２１
ローカル監視ＰＣ、ビル管理システム、メンテナンス用ＰＣとの通信プロトコルに従ってデータ通信を行う。なお、メンテナンス用ＰＣ４１とローカル監視ＰＣあるいはビル管理システムのいずれかが両方接続されている場合は、メンテナンスタスクは２個動作する（２０、２１）。▲１▼共有メモリ１２のデータ（マイコンコン基板通信データバッファ１２ｃ）を読み出し、定周期でローカル監視ＰＣ、ビル管理システム、メンテナンス用ＰＣ４１に送信する。▲２▼イベント的にローカル監視ＰＣ等から冷凍機の設定値、指令値を受信し、共有メモリ１２のマイコン基板通信データバッファ１２ｃに書込む。▲３▼共有メモリ１２の各種ロギングバッファ１２ｃからロギング情報を読込み、メンテナンス用ＰＣ４１に送信する。▲４▼シリアルＥＥＰＲＯＭ（図４の２０ｂ）の管理、メモリダンプ機能を提供する。
（１０）シーケンサ通信タスク２２
シーケンサ（ＭＥＬＳＥＣ）との通信プロトコルに従って、シーケンサとのデータ通信を行う。
【００２５】
図３は、マイコン基板通信と関係する共有メモリデータのアクセスを示す図であり、図４は、モデム通信と関係する共有メモリデータのアクセスを示す図である。
共有メモリ１２のデータの内、マイコン基板との通信に関係するデータにつき、タスクとの関係が図３に示されている。なお、図３に示すデータ処理イベントフラグ１２ｇは短期保管バッファ１２ｂのアクセスを制限するためのセマフォ、データ更新セマフォはマイコン基板通信データバッファ１２ｃのアクセスを制限するためのセマフォである。
モデム通信に関係するデータにつき、タスクとの関係が図４に示されている。初期化タスクは、シリアルＥＥＰＲＯＭ２０ｂからモデム初期化コマンド、ホストＥＷＳ電話番号を、フラッシュＲＯＭ２０ａからモデム通信データ定義テーブルを読み出して共有メモリ１２に書込む。ただし、ホストＥＷＳ電話番号は運用中に変更できるため、メンテナンスタスクは変更があった場合のみに、次回リセット時にシリアルＥＥＰＲＯＭ２０ｂのホストＥＷＳ電話番号を訂正する。
【００２６】
次に、共有メモリ１２のデータ構成を説明する。
長期保管バッファ１２ａは、短期保管バッファ１２ｂのデータから１時間の代表データを計算し、時系列で格納したバッファ、サンプリング周期は１時間で、最大サンプリング数は２５件とする。
短期保管バッファ１２ｂは、モデム通信データ定義テーブル１２ｐに従って、マイコン基板通信データバッファ１２ｃから遠隔監視のモデム通信の対象となるデータを袖出し、時系列で格納したバッファであり、サンプリング周期は１分で、最大サンプリング数は９０件とする。
マイコン基板通信データバッファ１２ｃは、定周期でマイコン基板と通信するデータを格納する。なお、マイコン基板からデータを取得されると、直ちにバッファの値に上書きし、常に最新の値にする。バッファ内のデータは、以下のグループに細分化するが、それぞれの通信周期は個別に設定できるものとする。▲１▼アナログ設定値、▲２▼デジタル設定値、▲３▼アナログ指令値、▲４▼デジタル指令値、▲５▼アナログデータ、▲６▼デジタルデータ、▲７▼積算回数データ、▲８▼積算時間データ
【００２７】
ロギングバッファ１２ｄは、データロギング仕様に従って、マイコン基板との通信で得たデータを蓄積するためのバッファであり、次の４種類とする。▲１▼短期ロギングバッファ、▲２▼長期ロギングバッファ、▲３▼設定値変更ロギングバッファ、▲４▼トリップロギングバッファ
冷凍機情報テーブル１２ｅは、冷凍機に関する情報で、ＳＣＴ装置１１が起動する時にマイコン基板３１〜３４から取得するデータであり、機械番号、機種、バージョン、冷凍能力を含む。マイコン基板通信データ定義テーブル１２ｆは、次のマイコン基板通信データバッファ１２ｃ中のデータの定義をまとめたテーブルであり、マイコン基板から取得するデータ、マイコン基板とのアクセス方法、最大インデックス値を示す。
初期化データ取得済フラグ１２ｊは、マイコン基板との通信状態を示すステータスで、マイコン基板との通信ができた場合にＯＮ、通信が全くないか３０分以上通信が途絶えた場合にＯＦＦする。なお、マイコン基板接続台数は、本フラグがＯＮになっている数と同一である。
【００２８】
マイコン基板通信ステータス１２ｉは、マイコン基板との連続通信エラー回数を示すカウント値であり、マイコン基板通信データバッファ１２ｃの値の時間的な精度を判断するのに用いる。
マイコン基板現在時刻１２ｋは、マイコン基板のシステム時刻（現在時刻）を示し、ＳＣＴ装置１１の起動時にマイコン基板から現在時刻を取得したあと、ＳＣＴ装置のクロックで時刻を進める。
モデム通信データ定義テーブル１２ｐは、マイコン基板通信データバッファ１２ｃに格納されるデータの内、遠隔監視のモデム通信の対象となるデータを定義するテーブルであり、本テーブルの内容は、フラッシュメモリのプログラム中に埋め込んでおく。
モデム初期化コマンドリスト１２ｑは、モデム初期化に必要なコマンドの文字列であり、初期期化タスクでシリアルＥＥＰＲＯＭ２０ｂから読み出して、共有メモリ１２に書込む。
ホストＥＷＳ電話番号１２ｒは、冷凍機トリップ発生時に使う遠隔監視用システム５５のモデムの電話番号であり、初期化タスクでシリアルＥＥＰＲＯＭ２０ｂから読み出して、共有メモリ１２に書き込む。
【００２９】
次に、本実施形態の利点を説明する。
（１）ＳＣＴ装置１１は、非常に小型で可搬型データロガーとしての運用が可能である。特開平１０−５４３６９や特開平１０−２６９２４９等はパーソナルコンピュータを利用した据置型のシステムであるが、本システムは電源を切断して、現地から解析部門へ返送しても収集したデータがバックアップされる。
（２）ＳＣＴ装置１１は、データロガーや複数（最大４台）の遠隔監視対応の通信端末として機能するが、ＳＣＴ−冷凍機制御盤間は常に通信（共有メモリ１２ヘのデータの格納）を行っており、モデムや他のＰＣからＳＣＴ装置１１にアクセスしても冷凍機制御盤からの通信が途絶えることがない。実開平５−７９２０２の通信コントローラは通信の相手先を選択できるだけで、選択されなかった相手のデータはその間途絶えることになる。前述の通り本実施形態のＳＣＴ装置１１は電話回線が１本であるが、共有メモリ１２の活用でローカルの通信（データの収集）をしたまま遠隔地からの要求に応じることができる。また、実開平５−７９２０２の通信コントローラに対し、４台のボイラーの状態を電話回線で収集しようとした場合は、各ボイラー個別にその都度、電話回線を接続、切断して相手先を切り替える必要がある。それに比べて、本実施形態のＳＣＴ装置１１は電話回線を１本、１回の接続で４台の冷凍機のデータを収集できる。
【００３０】
（３）遠隔監視システムとして機能する場合では、接続されている冷凍機に故障が発生したとき、定周期の通信により収集したデータ（共有メモリ１２に格納）を１時間分（１分間隔）を自動的に遠隔監視用システム５５へ通知する機能を有する。これにより、故障発生直前の冷凍機の挙動が確実に把握できる。また、この１時間分のデータを電話回線５３で遠隔監視用システム５５へ通知している間であっても、接続されている全冷凍機の定周期の通信は行うことができる。
また、実施形態について冷凍機の運転データをロギングし、データをグラフ表示して、容易に運転状態を認識するために次の様な方法を実現することが可能である。１）現地の機側において、冷凍機のマイコンコントローラと接続して、リアルタイムでデータを収集中であっても、ノートパソコンをＳＣＴ装置１１のＲＳ２３２Ｃポート１１ｃに接続して共有メモリ１２アクセスし、運転データを表示する。２）サービス拠点において、冷凍機のＳＣＴ装置１１を取り外し、サービス拠点に持ち帰り、上記１）と同様にノートパソコンを接続して運転データを表示する。このため、ＳＣＴ装置１１内にリチウムバッテリーを装備し、約２００日間データをバックアップする。３）遠隔地において、モデムと電話回線を接続し、遠隔地の遠隔監視用システム５５から指令を送り、ＳＣＴ装置１１内の共有メモリ１２からデータを受信し、運転データを表示する。
【００３１】
【発明の効果】
以上詳述したように、本発明の多機能小型通信端末によれば、次のような効果を奏する。
（１）非常に小型で可搬型データロガーとしての運用が可能であり、電源を切断して、現地から解析部門へ返送しても収集したデータをバックアップすることができる。
（２）データロガーや複数の遠隔監視対応の通信端末として機能するが、本通信端末と負荷装置間は常に通信を行っており、モデムや他の外部装置から本通信端末にアクセスしても負荷装置からの通信が途絶えることがない。本通信端末は、は電話回線が１本であるが、共有メモリの活用でローカルの通信（データの収集）をしたまま遠隔地からの要求に応じることができる。さらに、電話回線を１本、１回の接続で複数台の負荷装置のデータを収集できる。
【００３２】
（３）遠隔監視システムとして機能する場合では、接続されている負荷装置に故障が発生したとき、定周期の通信により収集したデータを自動的に遠隔監視用システムへ通知することができる。これにより、故障発生直前の冷凍機の挙動が確実に把握できる。また、データを電話回線で遠隔監視用システムへ通知している間であっても、接続されている全負荷装置の定周期の通信を行うことが可能である。
（４）負荷装置のデータを収集中であっても、ノートパソコンを本通信端末のＲＳ２３２Ｃ用のポートに接続して共有メモリにアクセスし、運転データを表示することができる。また、負荷装置の本通信端末を取り外し、サービス拠点に持ち帰り、ノートパソコンを接続して運転データを表示することも可能である。遠隔地においては、モデムと電話回線を接続し、遠隔地の遠隔監視用システムから指令を送り、共有メモリからデータを受信し、運転データを表示することが可能である。
【図面の簡単な説明】
【図１】  本発明の実施の１形態に係る多機能小型通信端末の全体システム構成図である。
【図２】  本実施形態のＳＣＴ装置１１のソフトウェア構成とデータフローを示すブロック図である。
【図３】  マイコン基盤通信と関係する共用メモリデータのアクセスを示す図である。
【図４】  モデム通信と関係する共有メモリデータのアクセスを示す図である。
【図５】  従来の冷凍機の台数制御システムの構成を示すブロック図である。
【図６】  従来のデータロギングシステムの構成を示すブロック図である。
【図７】  従来の遠隔監視システムの構成を示すブロック図である。
【図８】  従来の冷凍機がビル管理システムに接続される構成を示す図である。
【符号の説明】
１０                    制御部
１１                    多機能小型通信端末
１１ａ、１１ｂ、１１ｃ  ＲＳ−２３２Ｃ用ポート
１１ｄ                  インターフェース規格ＲＳ−４８５用ポート
１２                    共有メモリ
３１、３２、３３、３４  冷凍機
３０ａ、３０ｂ、３０ｃ  渡り配線
４１                    ノートパソコン
５２                    モデム
５３                    電話回線
５４                    モデム
５５                    遠隔監視用システム（ＥＷＳ）
６１                    ローカル管理システム
【図１】
0004754726.tif 000002
【図２】
0004754726.tif 000003
【図３】
0004754726.tif 000004
【図４】
0004754726.tif 000005
【図５】
0004754726.tif 000006
【図６】
0004754726.tif 000007
【図７】
0004754726.tif 000008
【図８】
0004754726.tif 000009